【事件の表示】
　特願２００５−１３４９０９「壁用目地カバー装置」拒絶査定不服審判事件〔平成１８年１１月３０日出願公開、特開２００６−３２２１３２〕について、次のとおり審決する。
【結　論】
　本件審判の請求は、成り立たない。
【理　由】
１.　手続きの経緯、本願発明
　本願は、平成１６年１０月１２日に出願された特願２００４−２９７６６５号及び平成１７年４月２１日に出願された特願２００５−１２３３７５号を優先権主張の基礎として平成１７年５月６日にされた出願であって、平成２１年２月９日付けで拒絶査定がなされ、これに対し、同年３月９日に審判請求がなされるとともに、同日付けで手続補正がなされたものである。
　その後、同年１２月２２日付けで、審判請求人に前置報告書の内容を示し意見を求めるための審尋を行ったが、回答書は提出されなかった。
　
　本願の特許請求の範囲は、平成２１年３月９日付けの手続補正により、補正前（平成２０年８月２０日付け手続補正書を参照。）の請求項１、２が削除され、補正前の請求項３が新たに請求項１とされたものである。
　よって、本願の請求項１に係る発明は、平成２１年３月９日付けの手続補正により補正された特許請求の範囲の請求項１に記載された事項により特定される次のとおりのものと認める。（以下、「本願発明」という。）
　
　「【請求項１】
目地部を介して設けられた左右の建物の目地部側壁面に、両端部がヒンジ部材を介して枢支された中央部および、両端部から４分の１の部位に枢支部が位置する少なくとも２個以上の伸縮リンクと、この少なくとも２個以上の伸縮リンクの中央部の枢支部にほぼ中央部が取付けられた、前記目地部の約２分の１の幅寸法で両端部にガイド部が形成された中央目地プレートと、前記少なくとも２個以上の伸縮リンクの両端部の枢支部あるいはヒンジ部材の可動部材に一端部が取付けられ、他端部が前記中央目地プレートのガイド部の底面と当接する左右の固定目地プレートと、前記少なくとも２個以上の伸縮リンクの両端部から４分の１の部位の枢支部に枢支された枢支ピンにほぼ中央部が取付けられた両端部が、前記中央目地プレートと前記左右の固定目地プレートの背面に当接するように位置する、前記目地部の幅寸法の約４分の１の幅寸法の左右の目隠しプレートとからなることを特徴とする壁用目地カバー装置。」
　
２．刊行物に記載された発明
（１）刊行物１
　原査定の拒絶の理由に引用され、本願の優先権主張の日前に頒布された刊行物である、特開２００１−２０３９４号公報（以下、「刊行物１」という。）には、以下の記載がある。
　
（１ａ）「【０００８】図１ないし図１２に示す本発明の第１の実施の形態において、１は目地部２を介して建てられた左右の建物３、３の壁面部位の目地部２を覆う本発明の伸縮パネル装置で、この伸縮パネル装置１は前記左右の建物３、３の目地部２側の躯体３ａ、３ａに複数本のビス４によって固定された一対のヒンジ部材５、５と、この一対のヒンジ部材５、５の可動部材６、６に両端部が取付けられた伸縮可能な４等分部位に枢支部７、７Ａ、７を有するリンク機構を用いた所定間隔で少なくとも２個以上の中央維持機構８と、前記ヒンジ部材５、５の可動部材６、６に後端部が複数本のビス４で固定された前記目地部２のほぼ４分の１の部分を覆う先端部が順次後方へ突出するガイド片９を有する一対の固定目地カバー１０、１０と、この一対の固定目地カバー１０、１０間の隙間を覆う両側部に該一対の固定目地カバー１０、１０のガイド片９、９によって前方へ押し出されるガイド部１１、１１が形成された中央目地カバー１２と、この中央目地カバー１２を前方へ突出可能に前記中央維持機構８の中央枢支部７Ａにそれぞれ枢支するとともに、常時該中央維持機構８側に付勢する中央目地カバー支持機構１３と、前記中央維持機構８の中央枢支部７Ａと両端部との間の中間部枢支部７、７に必要に応じて設置する取付け具１４、１４を介してそれぞれ取付けられた前記一対の固定目地カバー１０、１０と、前記中央目地カバー１２との間の開放が可能に覆う一対の中間支持カバー１５、１５とで構成されている。」
（１ｂ）「【００１０】前記中央維持機構８は図５に示すように、四角形状が４個形成され、４分の１の部位に枢支部７、７Ａ、７が形成されるパンタグラフ形状のリンク機構２０が使用され、両端部は前記一対のヒンジ部材５、５の可動部材６、６の中央維持機構支持部１８、１８に挿入され、枢支ピン２１、２１によって回動可能に取付けられるように構成されている。
【００１１】前記一対の固定目地カバー１０、１０は図６に示すように、前記目地部２の幅寸法のほぼ４分の１の幅寸法に形成されたステンレス、ステンレス合金、アルミ合金等の金属板で形成された板状の固定目地カバー本体２２と、この固定目地カバー本体２２の後端部に一体形成された、前記ヒンジ部材５の可動部材６の固定目地カバー支持部１９に複数本のビス４で固定されるアングル状の取付け片２３と、前記固定目地カバー本体２２の先端部に一体形成された前部後方へ順次突出するガイド片９とで構成されている。
【００１２】前記中央目地カバー１２は図７に示すように、前記目地部２の幅寸法のほぼ４分の２の幅寸法に形成されたステンレス、ステンレス合金、アルミ合金等の金属板で形成された板状の中央目地カバー本体２４と、この中央目地カバー本体２４の両端部に一体形成された前記一対の固定目地カバー１０、１０のガイド片９、９によって前方へ押し出されるガイド部１１、１１とで構成されている。
・・・
【００１４】前記一対の中間支持カバー１５、１５は図９に示すように、前記目地部２の幅寸法のほぼ４分の１の幅寸法に形成されたステンレス、ステンレス合金、アルミ合金等の金属板で形成された板状の中間支持カバー本体３０と、この中間支持カバー本体３０の両端部に必要によって一体形成される先端部が直角に折り曲げられ前方へ突出する支持片３１や順次前方へ傾斜状態で突出する支持片３１Ａとで構成されている。
【００１５】前記取付け具１４、１４は前記中央維持機構８の中間部枢支部７、７に枢支された中間支持カバー枢支ピン３２と、この中間支持カバー枢支ピン３２の先端部に形成された前記中間支持カバー１５の中央部に形成されたビス挿入孔３３より挿入されるビス３４と螺合するねじ部３５とで構成されている。」
（１ｃ）図面（【図１】等）には、中央目地カバー１２は、リンク機構の中央部に設けられた中央枢支部７Ａにほぼ中央部が取付けられていること、同様に、中間支持カバー１５、１５は、両端部から４分の１の部位の枢支部（枢支部７）にほぼ中央部が取付けられていることが示されている。
（１ｄ）記載事項（１ａ）の「この中央目地カバー１２を・・・常時該中央維持機構８側に付勢する中央目地カバー支持機構１３」との記載、記載事項（１ｂ）の「一対の中間支持カバー１５、１５は板状の中間支持カバー本体３０と、この中間支持カバー本体３０の両端部に必要によって一体形成される先端部が直角に折り曲げられ前方へ突出する支持片３１や順次前方へ傾斜状態で突出する支持片３１Ａとで構成されている。」との記載を参酌すれば、【図２】【図９】【図１０】【図１１】には、中央目地カバー１２が固定目地カバー１０、１０と重なって配置される際に、固定目地カバー１０、１０が中央目地カバー１２のガイド部１１、１１の底部と当接すること、左右の中間支持カバー１５、１５の両端部の支持片３１、３１Ａが、中央目地カバー１２と左右の固定目地カバー１０、１０とに当接するように位置することが示されている。　
　
　上記記載事項（１ａ）〜（１ｄ）及び図面の記載からみて、刊行物１には、以下の発明が記載されているものと認められる。
「目地部２を介して設けられた左右の建物の目地部２側の躯体３ａ、３ａに、両端部がヒンジ部材５、５を介して枢支された中央部および、両端部から４分の１の部位に枢支部７Ａ、７が位置する少なくとも２個以上のリンク機構と、この少なくとも２個以上のリンク機構の中央部の枢支部７Ａにほぼ中央部が取付けられた、前記目地部２のほぼ４分の２の幅寸法で両端部にガイド部１１、１１が形成された中央目地カバー１２と、ヒンジ部材５、５の可動部材６、６に一端部が取付けられ、他端部が前記中央目地カバー１２のガイド部１１、１１の底部と当接する左右の固定目地カバー１０、１０と、前記少なくとも２個以上のリンク機構の両端部から４分の１の部位の枢支部７に枢支された中間支持カバー枢支ピン３２にほぼ中央部が取付けられた両端部が、前記中央目地カバー１２と前記左右の固定目地カバー１０、１０の背面に当接するように位置する、前記目地部２の幅寸法のほぼ４分の１の幅寸法の左右の中間支持カバー１５、１５とからなる伸縮パネル装置１。」（以下、「刊行物１記載の発明」という。）
　
３．対比・判断
　本願発明と刊行物１記載の発明とを対比すると、刊行物１記載の発明の「目地部２側の躯体３ａ、３ａ」は、本願発明の「目地部側壁面」に相当し、以下同様に、「ヒンジ部材５、５」は「ヒンジ部材」に、「リンク機構」は「伸縮リンク」に、「中央部の枢支部７Ａ」は「中央部の枢支部」に、「ガイド部１１、１１」は「ガイド部」に、「固定目地カバー１０、１０」は「固定目地プレート」に、「両端部から４分の１の部位の枢支部７」は「両端部から４分の１の部位の枢支部」に、「中間支持カバー枢支ピン３２」は「枢支ピン」に、「伸縮パネル装置１」は「壁用目地カバー装置」に相当する。
　また、刊行物１記載の発明の「ほぼ４分の２」と本願発明の「約２分の１」、及び、刊行物１記載の発明の「ほぼ４分の１」と本願発明の「約４分の１」とは、それぞれ、同視できる値であるから、刊行物１記載の発明の「目地部２のほぼ４分の２の幅寸法の中央目地カバー１２」は、本願発明の「目地部の約２分の１の幅寸法の中央目地プレート」に、刊行物１記載の発明の「目地部２の幅寸法のほぼ４分の１の幅寸法の中間支持カバー１５、１５」は、本願発明の「目地部の幅寸法の約４分の１の幅寸法の目隠しプレート」に、それぞれ、相当する。
　
　よって、両者は、以下の一致点、相違点を有する。
　一致点　
　「目地部を介して設けられた左右の建物の目地部側壁面に、両端部がヒンジ部材を介して枢支された中央部および、両端部から４分の１の部位に枢支部が位置する少なくとも２個以上の伸縮リンクと、この少なくとも２個以上の伸縮リンクの中央部の枢支部にほぼ中央部が取付けられた、前記目地部の約２分の１の幅寸法で両端部にガイド部が形成された中央目地プレートと、前記少なくとも２個以上の伸縮リンクの両端部の枢支部あるいはヒンジ部材の可動部材に一端部が取付けられ、他端部が前記中央目地プレートのガイド部の底面と当接する左右の固定目地プレートと、前記少なくとも２個以上の伸縮リンクの両端部から４分の１の部位の枢支部に枢支された枢支ピンにほぼ中央部が取付けられた両端部が、前記中央目地プレートと前記左右の固定目地プレートの背面に当接するように位置する、前記目地部の幅寸法の約４分の１の幅寸法の左右の目隠しプレートとからなることを特徴とする壁用目地カバー装置。」
　
　相違点　
　本願発明は、左右の固定目地プレートが、中央目地プレートのガイド部の底面と当接するものであるのに対し、刊行物１記載の発明では、左右の固定目地プレートが、中央目地プレートのガイド部の底部と当接するものの、ガイド部の底部が面状とはなっておらず、ガイド部の底面と当接するものとはいえない点。
　
　上記相違点について検討する。
　刊行物１記載の発明のガイド部の底部は、目地部が狭くなった際に左右の固定目地プレートに摺接する部位であるから、その摺動容易性等を考慮してガイド部の底部を面状とし、左右の固定目地プレートが、中央目地プレートのガイド部の底面と当接するものとすることは、当業者が容易に想到し得ることである。
　
　そして、本願発明の効果も刊行物１記載の発明から当業者が予測し得る程度のものである。
　　
４．むすび
　したがって、本願発明は、刊行物１記載の発明から当業者が容易に発明をすることができたものであり、特許法第２９条第２項の規定により特許を受けることができない。
　
　よって、結論のとおり審決する。